【手続補正書】
【提出日】平成15年5月16日(2003.5.16)
【手続補正１】
【補正対象書類名】明細書
【補正対象項目名】特許請求の範囲
【補正方法】変更
【補正の内容】
【特許請求の範囲】
【請求項１】
観察者が物体を見ることを可能にするためのモジュール方式の双眼鏡のような観察組立体であって、
前記物体からの光を受ける第一入力端部と、前記第一入力端部からの光を受ける第一出力端部と、を有し、かつ、前記第一出力端部が、前記第一入力端部から受けた光の伝送される第一光軸を定める、第一光学モジュールを含む、少なくとも二つの光学モジュールと、
前記物体からの光を受ける第二入力端部と、前記第二入力端部からの光を受ける第二出力端部と、を有し、かつ、前記第二出力端部が、前記第二入力端部から受けた光の伝送される第二光軸を定める、第二光学モジュールと、
ブリッジと、
前記第一及び第二光学モジュールを前記ブリッジに間隔を隔てた並列な状態で、具合良く取り付け、取り外すための取付手段と、を含み、
前記取付手段は、前記モジュールの機械的な取付けと共に、前記モジュール間に電力及び情報の自由な流れを可能にするための、前記モジュール間に設けられた電気コネクタ手段を有する、モジュール方式の双眼鏡のような観察組立体。
【請求項２】
前記少なくとも二つの光学モジュールから伝送された光は、およそ４０°の垂直視野を有する視野を形成する、請求項１記載のモジュール方式の双眼鏡のような観察組立体。
【請求項３】
前記第一及び第二光学モジュールの各々は、入射する赤外光及び／又は可視光を、観察者の眼に与えるための増倍した可視映像に変換するための映像増倍手段を更に有する、請求項１記載のモジュール方式の双眼鏡のような観察組立体。
【請求項４】
前記光学モジュールの各々は個々に密封され、かつ、独立式である、請求項１記載のモジュール方式の双眼鏡のような観察組立体。
【請求項５】
前記第一及び第二光学モジュールの各々は、入射する赤外光及び／又は可視光を観察者の眼に与えるために増倍した可視映像に変換するための映像増倍手段を更に有する、請求項２記載のモジュール方式の双眼鏡のような観察組立体。
【請求項６】
前記光学モジュールの各々は個々に密封され、かつ、独立式である、請求項２記載のモジュール方式の双眼鏡のような観察組立体。
【請求項７】
前記光学モジュールの各々は個々に密封され、かつ、独立式である、請求項３記載のモジュール方式の双眼鏡のような観察組立体。
【請求項８】
情報を観察者に表示するために、前記観察組立体に取外し自在に取り付けられ、個々に密封され、かつ、独立式であるヘッドアップディスプレイモジュールを有する、請求項３記載のモジュール方式の双眼鏡のような観察組立体。
【請求項９】
情報を観察者に表示するために前記観察組立体に取外し自在に取り付けられ、個々に密封され、かつ、独立式であるヘッドアップディスプレイモジュールを有する、請求項６記載のモジュール方式の双眼鏡のような観察組立体。
【請求項１０】
情報を観察者に表示するために前記観察組立体に取外し自在に取り付けられ、個々に密封され、かつ、独立式であるヘッドアップディスプレイモジュールを有する、請求項７記載のモジュール方式の双眼鏡のような観察組立体。
【請求項１１】
前記観察組立体に取外し自在に取り付けられ、個々に密封され、かつ、独立式であるカメラを有する、請求項９記載のモジュール方式の双眼鏡のような観察組立体。
【請求項１２】
前記観察組立体に取外し自在に取り付けられ、個々に密封され、かつ、独立式であるカメラを有する、請求項１０記載のモジュール方式の双眼鏡のような観察組立体。
【請求項１３】
観察者が対象物を弱光条件下で見ることを可能にするためのモジュール方式の双眼鏡のような観察組立体であって、
前記物体からの光を受ける第一入力端部と、前記第一入力端部からの光を受ける第一出力端部と、を有し、かつ、前記第一出力端部が、前記第一入力端部から受けた光の伝送される第一光軸を定める、第一内側光学モジュールと、
前記物体からの光を受ける第二入力端部と、前記第二入力端部からの光を受ける第二出力端部と、を有し、かつ、前記第二出力端部が、前記第二入力端部から受けた光の伝送される第二光軸を定める、第二内側光学モジュールと、
前記物体からの光を受ける第三入力端部と、前記第三入力端部からの光を受ける第三出力端部と、を有し、かつ、前記第三出力端部が、前記第三入力端部から受けた光の伝送される第三光軸を定める少なくとも一つの外側光学モジュールと、
入射した赤外光及び／又は可視光を観察者の眼に与えるためのに、増倍した可視映像に変換するための、前記モジュール内に作動可能に位置決めされた映像増倍手段と、
ブリッジと、
前記第一光学モジュール及び第二光学モジュールを、前記ブリッジに、間隔を隔てた並列な状態で、具合良く取り付け、取り外し、かつ、前記少なくとも一つの外側光学モジュールを前記第一光学モジュール又は前記第二光学モジュールに取り付けるための取付手段と、を含み、
前記取付手段は、前記モジュールの機械的な取付けと共に、前記モジュール間に電力及び情報の自由な流れを可能にするための、前記モジュール間に設けられた電気コネクタ手段を有し、
前記第一、第二及び第三光軸に沿って伝送された光は、前記モジュール方式の双眼鏡のような観察組立体から前記観察者へ同時に伝送され、かつ、使用者の一つの眼に与えられる第一周辺部分と、前記中央部分に十分な奥行知覚及び立体視を提供するために使用者の両眼に与えられる中央部分と、からなる連続的な視野を形成する、モジュール方式の双眼鏡のような観察組立体。
【請求項１４】
前記光学モジュールの各々は個々に密封され、かつ、独立式である、請求項１３記載のモジュール方式の双眼鏡のような観察組立体。
【請求項１５】
前記第一、第二及び第三光学モジュールから伝送された光は、およそ４０°の垂直視野を有する視野を形成する、請求項１４記載のモジュール方式の双眼鏡のような観察組立体。
【請求項１６】
前記物体からの光を受ける第四入力端部と、前記第四入力端部からの光を受ける第四出力端部と、を有し、かつ、前記第四出力端部が、前記第四入力端部から受けた光の伝送される第四光軸を定める、第四の個々に密封され、かつ独立式である外側光学モジュールを更に含み、
光学モジュール組み合わせた効果が、使用者の左右の眼にそれぞれ示される左右の周辺部分と、中央部分で十分な奥行知覚及び立体視を提供するために観察者の両眼に示される中央部分と、を含む連続的な視野を提供する、請求項１５記載のモジュール方式の双眼鏡のような観察組立体。
【請求項１７】
前記連続的な視野は水平方向に少なくとも８０°であり、前記視野の前記中央部分は水平方向に少なくとも３５°である、請求項１６記載のモジュール方式の双眼鏡のような観察組立体。
【請求項１８】
前記第三及び第四外側光学モジュールは交換可能である、請求項１６記載のモジュール方式の双眼鏡のような観察組立体。
【請求項１９】
観察者が対象物を弱光条件下で見ることを可能にするためのモジュール方式の双眼鏡のような観察組立体であって、
前記物体からの光を受ける第一入力端部と、前記第一入力端部からの光を受ける第一出力端部と、を有し、かつ、前記第一出力端部が、前記第一入力端部から受けた光の伝送される第一光軸を定める、第一内側光学モジュールと、
前記物体からの光を受ける第二入力端部と、前記第二入力端部からの光を受ける第二出力端部と、を有し、かつ、前記第二出力端部が、前記第二入力端部から受けた光の伝送される第二光軸を定める、第二内側光学モジュールと、
前記物体からの光を受ける第三入力端部と、前記第三入力端部からの光を受ける第三出力端部と、を有し、かつ、前記第三出力端部が、前記第三入力端部から受けた光の伝送される第三光軸を定める、第三外側光学モジュールと、
前記物体からの光を受ける第四入力端部と、前記第四入力端部からの光を受ける第四出力端部と、を有し、かつ、前記第四力端が、前記第四入力端部から受けた光の伝送される第四光軸を定める、第四外側光学モジュールと、
入射した赤外光及び／又は可視光を観察者の眼に与えるために、増倍した可視映像に変換するための、前記モジュール内に作動可能に位置決めされた映像増倍手段と、
ブリッジと、
前記第一及び第二内側光学モジュールを前記ブリッジに間隔を隔てた並列な状態で、具合良く取り付け、取り外し、かつ、前記第三及び第四外側光学をそれぞれ、前記隣り合う第一及び第二内側光学モジュールに取り付け、取り外すための取付手段と、を含み、
前記取付手段は、前記モジュールの機械的な取り付けと共に、前記モジュール間に電力及び情報の自由な流れを可能にするための、前記モジュール間に設けられた電気コネクタ手段を有し、
前記第一、第二、第三及び第四光軸に沿って伝送された光は、前記モジュール方式の双眼鏡のような観察組立体から前記観察者へ同時に伝送され、かつ、少なくとも３５°の垂直視野と、少なくとも８０°の水平視野とを有する視野を形成する、モジュール方式の双眼鏡のような観察組立体。
【請求項２０】
前記光学モジュールの各々は個々に密封され、かつ、独立式である、請求項１９記載のモジュール方式のパノラマ観察組立体。
【請求項２１】
前記モジュール間に、電力及び情報の自由な流れを可能にするための、前記モジュール間に設けられた電気コネクタ手段を有する、請求項２０記載のモジュール方式の双眼鏡のような観察組立体。
【請求項２２】
前記モジュールは、前記外側モジュールを前記内側モジュールに取り付けるための取付手段を有し、前記モジュールは、適切な整合で、互いに取外し自在に取り付けられる、請求項２１記載のモジュール方式の双眼鏡のような観察組立体。
【請求項２３】
前記第三及び第四外側モジュールは交換可能である、請求項２２記載のモジュール方式の双眼鏡のような観察組立体。
【請求項２４】
情報を観察者に表示するための、前記組立体に取外し自在に取り付けられ、個々に密封されかつ独立式であるヘッドアップディスプレイを有する、請求項２３記載のモジュール方式の双眼鏡のような観察組立体。
【請求項２５】
前記観察組立体に取外し自在に取り付けられ、個々に密封され、かつ、独立式であるカメラを有する、請求項２４記載のモジュール方式の双眼鏡のような観察組立体。
【請求項２６】
前記電気コネクタ手段は、隣り合うモジュールにワイパー接触子及び接触パッドを構成する、請求項２５記載のモジュール方式の双眼鏡のような観察組立体。
【請求項２７】
前記取付手段は、さねはぎコネクタを構成する、請求項２６記載のモジュール方式の双眼鏡のような観察組立体。